(57)【特許請求の範囲】
【請求項１】
電話番号と該電話番号に関連する所定情報とを対応付けて登録した電話帳を記憶する記憶部と、通信可能に接続された電話機に着信した着信電話番号を表示する表示部とを有し、前記電話帳に登録された登録電話番号と前記着信電話番号とが一致するときに前記登録電話番号に対応付けた前記所定情報を前記着信電話番号と併せて表示する電子装置であって、
前記着信電話番号の桁数と前記登録電話番号の桁数とを比較判定する桁数比較判定手段と、
該桁数比較判定手段が前記着信電話番号の桁数が前記登録電話番号の桁数より多いと判定したときに、前記登録電話番号の先頭の数値ゼロを削除した先頭削除登録電話番号と、該先頭削除登録電話番号と桁数を同一にすべく前記着信電話番号の前部所定桁数の数値部分を削除した前部削除着信電話番号とを取得する取得手段と、
該取得手段により取得された前記先頭削除登録電話番号と前記前部削除着信電話番号との一致不一致を判定する番号判定手段と、
該番号判定手段が一致と判定したときに、前記登録電話番号に対応付けて登録された前記所定情報を前記着信電話番号と併せて表示する表示制御手段と、
を有する電子装置。
【請求項２】
前記桁数比較判定手段により前記着信電話番号の桁数が前記登録電話番号の桁数以下と比較判定されたときは、前記番号判定手段は、前記着信電話番号と前記登録電話番号との一致不一致とを判定し、前記番号判定手段が一致と判定したときに、前記表示制御手段は、前記登録電話番号に対応付けて登録された前記所定情報を前記着信電話番号と併せて表示する請求項１に記載の電子装置。
【請求項３】
前記番号判定手段による一致の判定がないときは、前記表示制御手段は、前記着信電話番号を前記表示部に表示する請求項１又は２に記載の電子装置。
【請求項４】
前記電話番号に関連する所定情報は、前記電話番号により特定される氏名、名称、住所、メールアドレス及びＦＡＸ番号の何れかを含む情報である請求項１乃至３のいずれかに記載の電子機器。
【請求項５】
前記電話機とは有線通信又は無線通信により接続される請求項１乃至４のいずれかに記載の電子装置。
【請求項６】
着信電話番号と電話帳に登録された登録電話番号との電話番号一致判定方法であって、
前記着信電話番号の桁数と前記登録電話番号の桁数とを比較判定する桁数比較判定ステップと、
該桁数比較判定ステップにおいて前記着信電話番号の桁数が前記登録電話番号の桁数より多いと判定されたときに、前記登録電話番号の先頭の数値ゼロを削除した先頭削除登録電話番号と、該先頭削除登録電話番号と桁数を同一にすべく前記着信電話番号の前部所定桁数の数値部分を削除した前部削除着信電話番号とを取得する取得ステップと、
前記先頭削除登録電話番号と前記前部削除着信電話番号との一致不一致を判定する番号判定ステップと、
該番号判定ステップにおいて前記一致と判定したときに、前記登録電話番号に対応付けて登録された前記所定情報を前記着信電話番号と併せて表示する表示ステップと、
を有する電話番号一致判定方法。
【発明の詳細な説明】
【技術分野】
【０００１】
本発明は、電話帳に登録された登録電話番号と着信電話番号とが一致するときに登録電話番号に対応付けた所定情報を着信電話番号と併せて表示する電子装置及び電話番号一致判定方法に関する。
【背景技術】
【０００２】
電話機と有線又は近距離無線等により通信可能に接続したＡＶ（Audio Visual）機器（車載機器を含む）では、着信した着信電話番号と記憶部に記憶された電話帳に登録された電話番号との対比を行い、一致した電話番号が登録されているときに、ディスプレイ等の表示画面に着信電話番号と共に対応付けて登録された氏名、名称等の情報を表示する。
【０００３】
ところで、着信電話が国際電話の場合には、着信電話番号には本来の電話番号の先頭に、自動的に国際番号等（国番号、国際電話識別番号、国際電話会社番号等）が付与され、さらに本来の電話番号における市外局番の先頭の「０（ゼロ）」が除かれるため、国際電話の着信電話番号と電話帳に登録された登録電話番号との対比による一致不一致の判断が困難となる。例えば、電話帳に登録された電話番号「０２４６  ３６  ４１１１」については、国際電話での着信電話番号は、市外局番の先頭の「０（ゼロ）」が除かれた後に、先頭に国際番号等が付与されて、「０１０  ３９  ２４６  ３６  ４１１１」と表示されるので、本来の登録電話番号との一致の判断が困難となる。
【０００４】
このため、電話番号同士の末尾からの比較により、着信した国際電話番号と連続一致桁数が最も長い登録電話番号を一致する電話番号として選択する電話番号判定装置及び電話番号判定方法が提案されている（特許文献１参照）。
【先行技術文献】
【特許文献】
【０００５】
【特許文献１】特許第４８６７０２７号公報
【発明の概要】
【発明が解決しようとする課題】
【０００６】
上記特許文献１に記載の電話番号判定装置及び電話番号判定方法によれば、着信した国際電話番号と連続一致する桁数が最も長い登録電話番号を一致する電話番号として選択するので、表示画面に着信電話番号と共に登録された氏名等の情報を表示することができる。
【０００７】
しかしながら、上記したように末尾からの連続一致する桁数が最も長い登録電話番号を一致するものとするように、部分的な一致で選択することがあり、正確な選択でない場合が生じ、誤った氏名等の表示をするおそれがある。
【０００８】
本発明は、着信電話番号が国際電話の場合においても、電話帳に登録された登録電話番号との一致を正確に判断して選択することが可能な電子装置及び電話番号一致判定方法の提供を目的とする。
【課題を解決するための手段】
【０００９】
上記課題を解決するために、本発明に係る電子装置は、電話番号と該電話番号に関連する所定情報とを対応付けて登録した電話帳を記憶する記憶部と、通信可能に接続された電話機に着信した着信電話番号を表示する表示部とを有し、前記電話帳に登録された登録電話番号と前記着信電話番号とが一致するときに前記登録電話番号に対応付けた前記所定情報を前記着信電話番号と併せて表示する電子装置であって、前記着信電話番号の桁数と前記登録電話番号の桁数とを比較判定する桁数比較判定手段と、該桁数比較判定手段が前記着信電話番号の桁数が前記登録電話番号の桁数より多いと判定したときに、前記登録電話番号の先頭の数値ゼロを削除した先頭削除登録電話番号と、該先頭削除登録電話番号と桁数を同一にすべく前記着信電話番号の前部所定桁数の数値部分を削除した前部削除着信電話番号とを取得する取得手段と、該取得手段により取得された前記先頭削除登録電話番号と前記前部削除着信電話番号との一致不一致を判定する番号判定手段と、該番号判定手段が一致と判定したときに、前記登録電話番号に対応付けて登録された前記所定情報を前記着信電話番号と併せて表示する表示制御手段と、を有する構成となる。
【００１０】
このような構成によれば、桁数比較判定手段により着信電話番号の桁数が登録電話番号の桁数より多いと判定されたときに、登録電話番号の先頭の数値ゼロを削除した先頭削除登録電話番号と、該先頭削除登録電話番号と桁数を同一にすべく着信電話番号の前部所定桁数の数値部分を削除した前部削除着信電話番号とを取得して、先頭削除登録電話番号と前部削除着信電話番号とが一致と判定したときに、表示制御手段により登録電話番号に対応付けて登録された所定情報を前記着信電話番号と併せて表示するので、国際電話の場合において国際番号等が電話番号の前部に表示された着信電話番号について、電話帳の登録電話番号との対比が可能となり、対応する氏名等を併せて表示することができる。
【００１１】
本発明に係る電子装置において、前記桁数比較判定手段により前記着信電話番号の桁数が前記登録電話番号の桁数以下と比較判定されたときは、前記番号判定手段は、前記着信電話番号と前記登録電話番号との一致不一致とを判定し、前記番号判定手段が一致と判定したときに、前記表示制御手段は、前記登録電話番号に対応付けて登録された前記所定情報を前記着信電話番号と併せて表示する構成とすることができる。
【００１２】
このような構成によれば、桁数比較判定手段により前記着信電話番号の桁数が登録電話番号の桁数以下と比較判定されたときは、着信電話は国際電話ではないので、直接、着信電話番号と登録電話番号との一致不一致とを判定し、番号判定手段が一致と判定したときに、表示制御手段が登録電話番号に対応付けた所定情報を着信電話番号と併せて表示することができる。
【００１３】
本発明に係る電子装置において、前記番号判定手段による一致の判定がないときは、前記表示制御手段は、前記着信電話番号を前記表示部に表示する構成とすることができる。
【００１４】
このような構成によれば、着信電話番号と登録電話番号との一致の判定がないときには、そのまま着信電話番号を表示部に表示するので、登録電話番号以外からの着信であることが認識できる。
【００１５】
本発明に係る電子装置において、前記電話番号に関連する所定情報は、前記電話番号により特定される氏名、名称、住所、メールアドレス及びＦＡＸ番号の何れかを含む情報である構成とすることができる。
【００１６】
このような構成によれば、着信電話番号が登録電話番号と一致するときに、登録電話番号と対応付けて登録された情報である、氏名等の情報が併せて表示されるので、着信電話が誰からのものであるかを認識することができる。
【００１７】
本発明に係る電子装置において、前記電話機とは有線通信又は無線通信により接続される構成とすることができる。
【００１８】
このような構成によれば、電話機と有線通信又は無線通信で接続するので、接続が容易であり、各種の電話機との接続を選択することができる。
【００１９】
本発明に係る電話番号一致判定方法は、着信電話番号と電話帳に登録された登録電話番号との電話番号一致判定方法であって、前記着信電話番号の桁数と前記登録電話番号の桁数とを比較判定する桁数比較判定ステップと、該桁数比較判定ステップにおいて前記着信電話番号の桁数が前記登録電話番号の桁数より多いと判定されたときに、前記登録電話番号の先頭の数値ゼロを削除した先頭削除登録電話番号と、該先頭削除登録電話番号と桁数を同一にすべく前記着信電話番号の前部所定桁数の数値部分を削除した前部削除着信電話番号とを取得する取得ステップと、前記先頭削除登録電話番号と前記前部削除着信電話番号との一致不一致を判定する番号判定ステップと、該番号判定ステップにおいて前記一致と判定したときに、前記登録電話番号に対応付けて登録された前記所定情報を前記着信電話番号と併せて表示する表示ステップと、を有する構成となる。
【発明の効果】
【００２０】
本発明によれば、着信電話番号の桁数が登録電話番号の桁数より多いと判定されたときに、登録電話番号の先頭の数値ゼロを削除した先頭削除登録電話番号と、該先頭削除登録電話番号と桁数を同一にすべく着信電話番号の前部所定桁数の数値部分を削除した前部削除着信電話番号とを取得し、先頭削除登録電話番号と前部削除着信電話番号とが一致と判定したときに、登録電話番号に対応付けて登録された所定情報を着信電話番号と併せて表示するので、国際電話の場合において国際番号等が電話番号の前部に表示された着信電話番号について、電話帳の登録電話番号との対比が可能となり、着信電話と共に対応する氏名等を併せて表示することができる。
【図面の簡単な説明】
【００２１】
【図１】図１は、本発明の実施の形態に係る電子装置である車載装置の構成を示すブロック図である。
【図２】図２は、本発明の実施の形態に係る電子装置である車載装置の処理ユニットによる処理手順を示すフローチャートである（その１）。
【図３】図３は、本発明の実施の形態に係る電子装置である車載装置の処理ユニットによる処理手順を示すフローチャートである（その２）
【図４Ａ】図４Ａは、図１に示す車載装置と通信可能に有線接続するスマートフォン（電話機）に着信した着信電話番号とその桁数を示す図である。
【図４Ｂ】図４Ｂは、図１に示す記憶部に記憶される電話帳へ登録された登録電話番号と該登録電話番号に対応つけて登録された登録情報を示す一覧図である。
【図５Ａ】図５Ａは、着信電話番号の下４桁の連続数値を含む登録電話番号Ａのリストを示す図である。
【図５Ｂ】図５Ｂは、図５Ａの登録電話番号Ａの桁数との関係により、着信電話番号から前部の所定桁数（演算による）の数値を除いた前部削除着信電話番号のリストを示す図である。
【図６Ａ】図５Ｂの前部削除着信電話番号と、登録電話番号の先頭の数値ゼロを削除した先頭削除登録電話番号とを対比させたリストを示す図である。
【図６Ｂ】図６Ｂは、着信電話番号と該着信電話番号の相手の情報（名称、住所）を表示部に示した図である。
【発明を実施するための形態】
【００２２】
本発明の実施の形態について図面を用いて説明する。
【００２３】
本発明の実施の形態に係る電子装置としての車載装置は、図１に示すように構成される。
【００２４】
図１に示すように、車載装置１１は、外部機器接続用のコネクタ２５を有しており、コネクタ１９を介してスマートフォン２３（電話機）と通信可能に有線接続されている。なお、本実施形態では上記のように車載装置１１とスマートフォン２３とは有線接続されているが、近距離無線通信（無線ＬＡＮ等）により接続してもよい。車載装置１１は、コンピュータユニット（例えば、ＣＰＵ、ＲＯＭ、ＲＡＭ、Ｉ／Ｏインターフェース及びこれらを接続するバスを含む）により構成される処理ユニット１２を有する。処理ユニット１２には、各種音源及び映像源（例えば、ＣＤ及びＤＶＤ）の再生処理が可能なＡＶユニット１５及び自車両のナビゲーションが可能なナビゲーションユニット１６が接続されている。また、処理ユニット１２には、スピーカ１７が出力回路１８を介して接続されている。これによって、ＡＶユニット１５及びナビゲーションユニット１６による処理に係る音声信号を、出力回路１８を介してスピーカ１７から音声として出力することが可能となっている。さらに、処理ユニット１２には、マイクロフォン２０が入力回路２１を介して接続されている。マイクロフォン２０から入力された音声が入力回路２１により音声信号に変換されて処理ユニット１２に入力される。このマイクロフォン２０及び上記したスピーカ１７により、スマートフォン２３を介して外部との通話を車載装置１１においてハンズフリーで行うことが可能となる。
【００２５】
処理ユニット１２には、ＡＶユニット１５及びナビゲーションユニット１６において利用する楽曲情報及び地図情報等の各種情報を記憶する記憶部２５（例えば、ハードディスク、フラッシュメモリ等の半導体メモリ）と、ＬＣＤ等によって構成される各種処理に伴う映像等を表示する表示部２６と、表示部２６上にタッチパネル形式にて形成される各種処理に必要な指示を入力可能な操作部２７とが接続されている。さらに、上記した記憶部２５には、後述するように電話番号と該電話番号に関連する情報（登録情報：氏名、名称、住所等）とが対応付けられた電話帳（登録電話番号及び対応する登録情報）が記憶されている。そして、スマートフォン２３に着信した着信電話番号が表示部２６に表示されるときに、後述するように着信電話番号が対比する登録電話番号と一致したときには、登録電話番号に対応付けられた登録情報が併せて表示部２６に表示される。
【００２６】
上記したように、スマートフォン２３が通信可能に接続された車載装置１１（電子装置）では、図２、図３に示すような手順にて処理がなされる。なお、本実施形態では、スマートフォン２３に着信した電話が国際電話である場合を説明する。
【００２７】
図２に示すように、スマートフォン２３に電話着信があったとき、処理ユニット１２は、着信電話番号（図４Ａ参照）をスマートフォン２３から取得し、処理ユニット１２のメモリ（不図示）又は記憶部２５に記憶する（Ｓ１１）。図４Ａに示すように、着信電話番号は国際電話番号であり、本来の電話番号（市外局番を含む「０２４６  ３６  ４１１１」）の頭部の「０（ゼロ）」を除いた前部に国際番号「０１０  ３９」（国番号、国際電話識別番号、国際電話会社番号等）が付されている。着信電話番号は、「０１０  ３９  ２４６  ３６  ４１１１」で１４桁の数列で構成されている。
【００２８】
処理ユニット１２は、スマートフォン２３に着信した着信電話番号を取得した後、記憶部２５の電話帳（図４Ｂ参照）に掲載された登録電話番号のリストから、着信電話番号の下４桁の連続数列「４１１１」を含む登録電話番号Ａの有無を検索する（Ｓ１２）。図４Ｂに示すように、記憶部２５に記憶される電話帳は、登録電話番号と該登録電話番号の使用者の氏名、名称及び住所等の登録情報とが対応付けて登録されている。なお、図４Ｂに示す登録情報は一例であり、更なる所定の情報（メールアドレス、ＦＡＸ番号等）を登録することが可能である。
【００２９】
上記したように、処理ユニット１２は、着信電話番号の下４桁の番号「４１１１」を含む登録電話番号Ａの有無を電話帳で検索し、該当する登録電話番号Ａが有るときは（Ｓ１２のＹＥＳ）、これを取得すべく、抽出した登録電話番号Ａを処理ユニット１２のメモリ（不図示）又は記憶部２５に記憶する（Ｓ１３）。登録電話番号Ａに該当する登録電話番号は、図４Ｂ、図５Ａに示すように、下４桁の数列「４１１１」を含む、電話帳の「（ｂ）０２４６  ３６  ４１１１」、「（ｄ）０４５  ４４４  １１１０」及び「（ｅ）０１２３  ４  １１１０」が該当する。このように、電話帳から着信電話番号の下４桁の数列「４１１１」を含む登録電話番号Ａを取得するのは、後述するように電話番号の一致不一致の判定を行うために、予め判定の対象となるものを絞りこむためであり、特に登録電話番号が電話帳に多数件登録されているときに有効である。登録電話番号の登録件数が少ないときには登録電話番号Ａの検索による取得を省略し、全ての登録電話番号と着信電話番号との一致不一致を判定してもよい。なお、電話帳に上記下４桁の数列「４１１１」を含む登録電話番号が登録されていないとき（Ｓ１２のＮＯ）、対応する登録情報が無いので、処理ユニット１２は、表示部２６に着信電話番号のみを表示する（Ｓ２１）。
【００３０】
次に、処理ユニット１２は、着信電話番号の桁数が登録電話番号Ａ（着信電話番号の下４桁の数列を含む登録電話番号）の桁数より多いか否かを比較判定する（Ｓ１４：桁数比較判定手段）。着信電話番号が国際電話であるときには、本来の電話番号（市外局番を含む）の先頭の数字「０（ゼロ）」を削除したものに国際番号等の数列が前部に付加されるので、国際電話による着信電話番号の桁数は、相当する登録電話番号の桁数よりも多くなる。図４Ａに示すように、国際電話の着信電話番号「０１０  ３９  ２４６  ３６  ４１１１」は、後述するように登録電話番号「（ｂ）０２４６  ３６  ４１１１」の先頭の数字「０（ゼロ）」を削除したものの前部に、国際番号等の「０１０  ３９」を付加したものである。したがって、国際電話の着信電話番号「０１０  ３９  ２４６  ３６  ４１１１」が登録電話番号「（ｂ）０２４６  ３６  ４１１１」と一致するとの判定は桁数の相違に加え、先頭の数字「０（ゼロ）」の削除がなされるので、そのままの対比では困難なものとなっている。
【００３１】
着信電話番号の桁数が登録電話番号Ａの桁数より多くないとき（Ｓ１４のＮＯ）、すなわち着信電話番号の桁数が登録電話番号Ａの桁数と同じか又は少ないときは、着信電話は国際電話でなく、着信電話番号は登録電話番号Ａと桁数が同一と考えられるため、処理ユニット１２は、直接に着信電話番号と登録電話番号Ａが一致するか否かの一致不一致を判定する（Ｓ２２：番号判定手段）。処理ユニット１２は、着信電話番号と登録電話番号Ａとが一致したときは（Ｓ２２のＹＥＳ）、電話帳に記載の登録電話番号Ａと対応する登録情報（氏名、名称、住所等）を着信電話番号と共に表示部２６に表示する（Ｓ１９：表示制御手段）。また、処理ユニット１２は、着信電話番号と登録電話番号Ａとが一致しないときは（Ｓ２２のＮＯ）、着信電話番号を表示部２６に表示する（Ｓ２１）。
【００３２】
処理ユニット１２は、着信電話番号の桁数が登録電話番号Ａの桁数より多いと判定したとき（Ｓ１４のＹＥＳ）、演算式である、着信電話番号桁数−（登録電話番号桁数−１）により算出桁数を求め（Ｓ１５）、着信電話番号の先頭から算出桁数に相当する部分を削除した番号Ｂ（前部削除着信電話番号）を求める（Ｓ１６：取得手段）。図５Ａ及び図５Ｂに示すように、登録電話番号Ａが「（ｂ）０２４６  ３６  ４１１１」の１０桁であり、着信電話番号が「０１０  ３９  ２４６  ３６  ４１１１」の１４桁であるから、上記演算は、１４−（１０−１）＝５（桁）となり、国際電話番号の前部の５桁（上５桁）「０１０  ３９」の部分を除いて、番号Ｂ（前部削除着信電話番号）「２４６  ４１１１」が求められる。他の登録電話番号Ａである「（ｄ）０４５  ４４４  １１１０（１０桁）」、「（ｅ）０１２３  ４  １１１０（９桁）」についても、図５Ｂに示すように、上記同様の演算により番号Ｂ（前部削除着信電話番号がそれぞれ「２４６  ４１１１」、「４６  ４１１１」が求められる。なお、上記演算式「着信電話番号桁数−（登録電話番号桁数−１）」における括弧内で１を減ずるのは、国際電話番号において、市外局番を含む電話番号（登録電話番号）の先頭「０（ゼロ）」を除いてから国際番号が付されることから、一致不一致の判定対象を登録電話番号（市外局番を含む）の先頭「０（ゼロ）」以外の部分とするためである。
【００３３】
上記したように、処理ユニット１２は、一致不一致の判定対象として、登録電話番号Ａの先頭の「０（ゼロ）」を除いた番号Ｃ（先頭削除登録電話番号）を求め（Ｓ１７：取得手段）、図６Ａに示すように、番号Ｂ（前部削除着信電話番号）と番号Ｃ（先頭削除登録電話番号）とが一致するか否かの判定を行う（Ｓ１８：番号判定手段）。上記したように、一致不一致の判定は、登録電話番号の先頭の「０（ゼロ）」を除いた残りの数列から成る番号Ｃ（先頭削除登録電話番号）と、番号Ｃの桁数と同一の桁数となるように、着信電話番号の前部の所定の桁数の数列を削除して成る番号Ｂ（前部削除着信電話番号）とが同一か否かの判断によることになる。
【００３４】
処理ユニット１２は、番号Ｂ（前部削除着信電話番号）と番号Ｃ（先頭削除登録電話番号）とが一致すると判定したときは（Ｓ１８のＹＥＳ）、一致と判定された番号Ｃの先頭に数字「０（ゼロ）」が付いた登録電話番号Ａに対応付けられた登録情報（氏名、名称、住所等）を、番号Ｂのもとの数列である着信電話番号と併せて表示部２６に表示する（Ｓ１９：表示制御手段）。これにより、国際電話の場合においても電話帳の登録電話番号との一致判断が可能となり、登録電話番号に対応付けた登録情報の氏名等を着信電話番号と共に表示できるので、国際電話番号の相手を確認することができる。図６Ｂに示すように、着信電話番号「０１０  ３９  ２４６  ４１１１」は、登録番号「０２４６  ３６  ４１１１」の先頭「０（ゼロ）」を削除してから国際番号「０１０  ３９」が前部に付されたものであるが、上述したように一致判定が可能であることから、電話帳から上記登録電話番号と対応付けた登録情報の名称、住所等を着信番号と併せて表示部１３に表示することができ、着信電話の相手先の情報を取得することができる。
【００３５】
また、処理ユニット１２は、番号Ｂ（前部削除着信電話番号）と番号Ｃ（先頭削除登録電話番号）とが一致しないと判定したときには（Ｓ１８のＮＯ）、他に登録電話番号Ａがないかどうかを判断し（Ｓ２０）、一致不一致の判定対象となる登録電話番号Ａが他にないと判断したときは（Ｓ２０のＹＥＳ）、着信電話番号を表示部２６に表示し、他に登録電話番号Ａがあると判断したときは、上記したように着信電話番号の桁数が登録電話番号Ａの桁数より多いか否かの判定を行い（Ｓ１４）、番号Ｂと番号Ｃを求めて、一致不一致の判定を行う（Ｓ１６〜Ｓ１８）。
【００３６】
このように、本実施形態の車載装置１１（電子装置）によれば、国際電話の着信電話番号が電話帳の登録電話番号と桁数が異なっていても、その一致を判定することができるので、国際電話の着信電話番号と併せて電話帳の登録電話番号に対応付けた氏名等の登録情報を表示することができる。なお、上記したように本実施形態では、電子装置である車載装置１１と接続される電話機をスマートフォン２３としたが、これに限定するものでなく、他の携帯電話や固定電話等でもよい。また、本実施形態では電子装置を車載装置としたが、当該電子装置を電話機と一体となるように設けることもできる。
【産業上の利用可能性】
【００３７】
以上、説明したように、本発明よれば、着信電話番号の桁数が登録電話番号の桁数より多いと判定されたときに、登録電話番号の先頭の数値ゼロを削除した先頭削除登録電話番号と、該先頭削除登録電話番号と桁数を同一にすべく着信電話番号の前部所定桁数の数値部分を削除した前部削除着信電話番号とを取得し、先頭削除登録電話番号と前部削除着信電話番号とが一致と判定したときに、登録電話番号に対応付けて登録された所定情報を着信電話番号と併せて表示することができるという効果を奏するので、電話帳に登録された登録電話番号と着信電話番号とが一致するときに登録電話番号に対応付けた所定情報を着信電話番号と併せて表示する電子装置及び電話番号一致判定方法として有用である。
【符号の説明】
【００３８】
１１    車載装置（電子装置）
１２    処理ユニット
１５    ＡＶユニット
１６    ナビゲーションユニット
１７    スピーカ
１８    出力回路
１９    コネクタ
２０    マイクロフォン
２１    入力回路
２３    スマートフォン（電話装置）
２５    記憶部
２６    表示部
２７    操作部
【図１】
0006427037.tif 000002
【図２】
0006427037.tif 000003
【図３】
0006427037.tif 000004
【図４Ａ】
0006427037.tif 000005
【図４Ｂ】
0006427037.tif 000006
【図５Ａ】
0006427037.tif 000007
【図５Ｂ】
0006427037.tif 000008
【図６Ａ】
0006427037.tif 000009
【図６Ｂ】
0006427037.tif 000010